(57)【要約】【課題】商品をコラムに補充するオペレータに危険を及ぼすことなく、同一高さのコラムを一括して引き出すことができる自動販売機を提供すること。【解決手段】左右方向に複数列、上下方向に複数段、配列されたコラム３１のうち、左右方向に配列されたコラム３１をラック３２に搭載し、同じ高さのコラム３１を収納位置から予め定めた引出位置に一括して引き出せるように構成した自動販売機において、ラック３２が予め定めた一時停止位置まで引き出された場合に手前下がりとなるように小さく傾いてラック３２と係合することにより、ラック３２を一時停止させ、その後、引出位置まで引き出された場合に手前下がりとなるように大きく傾いてラック３２と係合することにより、ラック３２を停止させるようにした。【選択図】        図５
2010165065.tif 000002
【特許請求の範囲】
【請求項１】
左右方向に複数列、上下方向に複数段、配列されたコラムのうち、左右方向に配列されたコラムをラックに搭載し、同じ高さのコラムを収納位置から予め定めた引出位置に一括して引き出せるように構成した自動販売機において、
ラックが予め定めた一時停止位置まで引き出された場合にラックと係合することにより、ラックを一時停止させる一時停止手段と、
該一時停止手段からラックを離脱させ、引出位置まで引き出された場合にラックと係合することにより、ラックを停止させる停止手段と
を備えたことを特徴とする自動販売機。
【請求項２】
前記停止手段は、ラックが引出位置まで引き出された場合に手前下がりとなるように大きく傾いてラックを停止させることを特徴とする請求項１に記載の自動販売機。
【請求項３】
前記一時停止手段は、ラックが一時停止位置まで引き出された場合に手前下がりとなるように小さく傾いてラックを停止させることを特徴とする請求項１または２に記載の自動販売機。
【請求項４】
前記ラックは、前縁よりも前方に突出する把手を収容可能に設けたことを特徴とする請求項１〜３のいずれか一つに記載の自動販売機。
【発明の詳細な説明】
【技術分野】
【０００１】
本発明は、内部に収納した商品を外部から視認可能な自動販売機であって、左右方向に複数列、上下方向に複数段のコラムを備えた自動販売機に関するものである。
【背景技術】
【０００２】
内部に収納した商品を外部から視認可能な自動販売機が知られている。この自動販売機は、前面が開口した箱状の本体キャビネットと、本体キャビネットの前面開口を閉塞する外扉とを備えている。本体キャビネットの内部は、仕切板によって、略８割を占める上方域と、略２割を占める下方域とに画成され、略８割を占める上方域が商品収容室を構成し、略２割を占める下方域が機械室を構成している。商品収容室には、商品収納ラックが収容してある。商品収納ラックは、左右方向に複数列、上下方向に複数段のコラムを配列して構築したもので、コラムごとに前方に引き出すことができるようになっている。コラムは、商品を前後一列に並べて収納するようになっており、商品を収納（補充）する場合には、コラムを前方に引き出すことになっている。
【０００３】
商品収納ラックの前方域には、バケットを左右方向（Ｘ方向）および上下方向（Ｙ方向）に移動させ、指定されたコラムから商品を受け取り、搬出位置に搬送するバケット装置が配設してある。バケット装置の前方には、内扉が設けてある。内扉は、商品収容室の前面開口を閉塞する扉体であって、コラムに収納した商品を外部から視認できるように、ガラス板を枠体に嵌め込んで構成してある。内扉には、商品搬出口が設けてあり、搬出位置に移動したバケットから商品搬出口に向けて商品が搬出されるようになっている。商品搬出口は、搬出口フラッパによって閉塞されており、バケットから商品搬出口に搬出された商品が搬出口フラッパを押し開くことにより、商品搬出口が開放されるようになっている。
【０００４】
外扉には、ガラス板が嵌め込んであり、ガラス板、内扉（ガラス板）を介してコラムに収納した商品を外部から視認できるようになっている。また、外扉には、商品取出口が設けてある。商品取出口は、商品搬出口から搬出された商品を取り出すためのもので、商品搬出口よりも下方となる位置に設けてある。商品取出口は、取出口フラッパによって閉塞されており、利用者が外部から取出口フラッパを押し開くことにより、商品取出口が開放されるようになっている（たとえば、特許文献１参照）。
【０００５】
【特許文献１】特開平１０−３０２１４０号公報
【発明の開示】
【発明が解決しようとする課題】
【０００６】
ところで、上述した自動販売機は、コラムごとに前方に引き出すことができるようになっているため、商品をコラムに補充するオペレータの目の高さに位置するコラムが一度に出てくることがなく、怪我をすることは考えにくい。
【０００７】
しかしながら、コラムごとに前方に引き出すことができるようにすると、コラムを引き出し可能にする構成のために費用が嵩み、コストダウンを図る上で障害となっていた。
【０００８】
本発明は、上記実情に鑑みて、商品をコラムに補充するオペレータに危険を及ぼすことなく、同一高さのコラムを一括して引き出すことができる自動販売機を提供することを目的とする。
【課題を解決するための手段】
【０００９】
上記の目的を達成するために、本発明の請求項１にかかる自動販売機は、左右方向に複数列、上下方向に複数段、配列されたコラムのうち、左右方向に配列されたコラムをラックに搭載し、同じ高さのコラムを収納位置から予め定めた取出位置に一括して引き出せるように構成した自動販売機において、ラックが予め定めた一時停止位置まで引き出された場合にラックと係合することにより、ラックを一時停止させる一時停止手段と、該一時停止手段からラックを離脱させ、引出位置まで引き出された場合にラックと係合することにより、ラックを停止させる停止手段とを備えたことを特徴とする。
【００１０】
また、本発明の請求項２にかかる自動販売機は、上記請求項１において、前記停止手段は、ラックが引出位置まで引き出された場合に手前下がりとなるように大きく傾いてラックを停止させることを特徴とする。
【００１１】
また、本発明の請求項３にかかる自動販売機は、上記請求項１または２において、前記一時停止手段は、ラックが一時停止位置まで引き出された場合に手前下がりとなるように小さく傾いてラックを停止させることを特徴とする。
【００１２】
また、本発明の請求項４にかかる自動販売機は、上記請求項１〜３のいずれか一つにおいて、前記ラックは、前縁よりも前方に突出する把手を収容可能に設けたことを特徴とする。
【発明の効果】
【００１３】
本発明にかかる自動販売機は、ラックが予め定めた一時停止位置まで引き出された場合にラックを一時停止させ、その後、予め定めた引出位置まで引き出された場合にラックを停止させるので、ラックは二段階に分けて引き出されることになる。したがって、ラックを引き出せば同一高さのコラムが一括して引き出されることになるが、二段階に分けて引き出されるので、オペレータは十分に注意を払うことができ、危険が及ぶことはない。
【００１４】
また、ラックが一時停止位置まで引き出された場合に手前下がりとなるように小さく傾き、ラックが引出位置まで引き出された場合に手前下がりとなるように大きく傾くので、オペレータの目の高さよりも高い位置のコラムに収納された商品を目視できる。
【００１５】
さらに、前縁よりも前方に把手を突出させれば、小さな力でラックを持ち上げることができ、小さな力でラックを収納位置に収納させることができる。
【発明を実施するための最良の形態】
【００１６】
以下に添付図面を参照して、本発明にかかる自動販売機の好適な実施の形態を詳細に説明する。なお、この実施の形態によりこの発明が限定されるものではない。
【００１７】
図１は、本発明の実施の形態である自動販売機の外観を示す正面図、図２は、図１に示した自動販売機の外扉を開放した状態を示す斜視図である。図１に示すように、ここで説明する自動販売機は、内部に収納した商品を外部から視認可能な自動販売機であって、図２に示すように、前面が開口した箱状の本体キャビネット１と、本体キャビネット１の前面開口を閉塞する外扉２とを備えている。
【００１８】
図２に示すように、本体キャビネット１の内部は、仕切板１１によって、略８割を占める上方域と略２割を占める下方域とに画成され、略８割を占める上方域が商品収容室１２を構成し、略２割を占める下方域が機械室１３を構成している。
【００１９】
商品収容室１２には、商品収納ラック３が収納してある。商品収納ラック３は、左右方向に複数列（たとえば、図２に示す例では、７列）、上下方向に複数段（たとえば、図２に示す例では、８段）のコラム３１を配列して構築したもので、図３に示すように、本実施の形態である商品収納ラック３は、段ごとに左右方向に配列されたコラム３１を一つのラック３２に搭載し、同じ高さのコラム３１を収納位置（図３に示す位置）から予め定めた引出位置に一括して引き出せるように構成してある。
【００２０】
ラック３２は、左右方向に配列されたコラム３１が搭載される底板部（図示せず）と、底板部の両側縁から上方に延在した側板部３２２とを有している。この側板部３２２の下部のうち前側３分の２となる部分には、階段状に折り込まれた段部３２３が形成してある。また、側板部３２２の後端部上方には、ガイドローラ３３が回転自在に取り付けてある。
【００２１】
一方、商品収容室１２の内壁部には、ガイドレール１４とガイドローラ１５とが取り付けてある。ガイドレール１４は、ラック３２の側板部３２２に取り付けられたガイドローラ３３を収容し、収容したガイドローラ３３をガイドするもので、前下がりに２度の傾斜を有するように取り付けてある。ガイドローラ１５は、ラック３２の側板部３２２に形成された段部３２３をガイドするもので、回転自在に取り付けてある。したがって、ラック３２は、ガイドレール１４とガイドローラ１５とにガイドされ、２度の傾斜を有して商品収容室１２の前方に引き出されるようになっている。
【００２２】
さらに、オペレータの目の高さよりも上方となる最上段のラック３２は、図４に示すように、予め定めた一時停止位置まで引き出されると一時停止し、その後、図５に示すように、予め定めた引出位置まで引き出されると停止するようになっている。
【００２３】
具体的には、商品収容室１２の内壁部に最上段のラック３２に対応してガイドプレート１６Ｒ，１６Ｌが取り付けてある。ガイドプレート１６Ｒ，１６Ｌは、ガイドレール１４に連続するように取り付けてあり、ラック３２を引き出すと、ガイドローラ３３は、ガイドレール１４からガイドプレート１６Ｒ，１６Ｌに受け渡され、ラック３２を押し込むと、ガイドローラ３３は、ガイドプレート１６Ｒ，１６Ｌからガイドレール１４に受け渡されるようになっている。ガイドプレート１６Ｒ，１６Ｌには、ガイドローラ３３をガイドする突片が設けてあり、一時停止位置でガイドローラ３３が係合する一時停止凹部（一時停止手段）１６１と、引出位置でガイドローラ３３が係合する停止凹部（停止手段）１６２とが形成されている。したがって、ラック３２が予め定めた一時停止位置まで引き出されると、ガイドローラ３３が一時停止凹部１６１に係合することにより、図４に示すように、ラック３２を一時停止させることになる。このとき、ラック３２は、段部３２３がガイドローラ１５に支持されるとともにガイドローラ３３が一時停止凹部１６１に支持され、手前下がりとなるように小さく（約５度）傾いて停止することになる。その後、ガイドローラ３３を一時停止凹部１６１から離脱させ、ラック３２が予め定めた引出位置まで引き出されると、ガイドローラ３３が停止凹部１６２に係合することにより、ラック３２を停止させることになる。このとき、ラック３２は、段部３２３がガイドローラ１５に支持されるとともにガイドローラ３３が停止凹部１６２に支持され、手前下がりとなるように大きく（約２５度）傾いて停止することになる。
【００２４】
また、最上段のラック３２には、図６に示すように、前縁よりも前方に突出する把手３４が取り付けてある。把手３４は、引出位置において大きく傾いて停止したラック３２を小さな力で持ち上げるためのもので、ラック３２の底板に回動可能に取り付けてある。そして、引出位置において把手３４を手前に回動させれば、把手３４はラック３２の前縁よりも前方に突出し、左右方向に配列されたコラム３１に商品を満載したラック３２であっても小さな力（たとえば、５０Ｎ）で持ち上げることができるようになっている。
【００２５】
図２に示すように、商品収納ラック３の前方域には、バケット４を左右方向（Ｘ方向）および上下方向（Ｙ方向）に移動させ、指定されたコラム３１から商品を受け取り、商品搬送位置に搬送するバケット装置（図示せず）が配設してある。
【００２６】
図２に示すように、バケット装置の前方には、内扉５が設けてある。内扉５は、商品収容室１２の前面開口を閉塞する扉体であって、外扉２と内扉５の二重構造とすることにより、省エネを実現している。内扉５は、コラム３１に収納した商品を外部から視認できるように、ガラス板５１を枠体５２に嵌め込んで構成してある。
【００２７】
図２に示すように、内扉５の右側、高さ方向略三分の一の位置には、商品搬出口５３が設けてある。商品搬出口５３は、商品収容室１２の内部から外部に商品を搬出するための矩形穴であって、搬出位置に移動したバケット４から商品搬出口５３に向けて商品が搬出されるようになっている。商品搬出口５３は、搬出口フラッパ５４によって閉塞されており、バケット４から商品搬出口５３に搬出された商品が搬出口フラッパ５４を押し開くことにより、商品搬出口５３が開放されるようになっている。
【００２８】
図１に示すように、外扉２には、ガラス板２１が嵌め込んであり、ガラス板２１、内扉（ガラス板５１）５を介してコラム３１に収納した商品を外部から視認できるようになっている。
【００２９】
また、図１に示すように、外扉２の中程には商品取出口２２が設けてある。商品取出口２２は、商品搬出口５３から搬出された商品を取り出すための矩形穴であって、商品搬出口５３よりも下方となる位置に設けてある。商品取出口２２は、取出口フラッパ２３によって閉塞されており、利用者が外部から取出口フラッパ２３を押し開くことにより、商品取出口２２が開放されるようになっている。
【００３０】
上述した本発明の実施の形態である自動販売機において、商品を補充する場合には、外扉２、内扉５の順番に扉を開放し、ラック３２を引き出せるようにする。つぎに、補充する商品が収納されるコラム３１が搭載されているラック３２を収納位置から引出位置に引き出し、商品を補充することになる。
【００３１】
ここで、最上段のラック３２を引き出すと、上述したように、予め定めた停止位置において、ガイドローラ３３が一時停止凹部１６１に係合することにより、ラック３２が一時停止する。このとき、ラック３２は、小さく（約５度）傾いて停止するので、この状態で商品を補充してもよい。
【００３２】
一方、背の低いオペレータが商品を補充する場合や、満杯となるまで商品を補充する場合には、ガイドローラ３３を一時停止凹部１６１から離脱させ、ラック３２をさらに引き出せばよい。ラック３２をさらに引き出すと、上述したように、予め定めた停止位置において、ガイドローラ３３が停止凹部１６２に係合することにより、ラック３２が停止する。このとき、ラック３２は、大きく（約２５度）傾いて停止する。このため、背の低いオペレータであっても、コラム３１に満杯となるまで商品を補充することができる。
【００３３】
商品の補充を終了した後は、ラック３２を持ち上げて、ラック３２を引出位置から収納位置に収納することになる。左右方向に配列されたコラム３１に商品を満載し、ラック３２が重い場合には、把手３４を手前に回動させて、把手３４をラック３２の前縁よりも突出させ、把手３４を持ち上げ操作すれば、小さな力でラック３２が持ち上げることができる。
【００３４】
そして、ラック３２を収納位置に収納した後は、内扉５、外扉２の順番に扉を閉塞する。
【００３５】
上述した本発明の実施の形態である自動販売機によれば、最上段のラック３２は、予め定めた一時停止位置まで引き出された場合に一時停止し、その後、予め定めた引出位置まで引き出された場合に停止するので、ラック３２は二段階に分けて引き出されることになる。したがって、最上段のラック３２もコラム３１が一括して引き出されることになるが、二段階に分けて引き出されるので、オペレータは十分に注意を払うことができ、危険が及ぶことはない。
【００３６】
また、最上段のラック３２は、一時停止位置まで引き出された場合に手前下がりとなるように小さく傾き、引出位置まで引き出された場合に手前下がりとなるように大きく傾くので、背の低いオペレータであってもコラム３１に満杯となるまで商品を補充することができる。
【００３７】
さらに、把手３４をラック３２の前縁よりも前方に回動させ、把手３４を持ち上げ操作すれば、小さな力でラック３２を持ち上げることができ、小さな力でラック３２を収納することができる。
【図面の簡単な説明】
【００３８】
【図１】本発明の実施の形態である自動販売機の外観を示す正面図である。
【図２】図１に示した自動販売機の外扉を開放した状態を示す斜視図である。
【図３】最上段に搭載した商品収納ラックを示す斜視図である。
【図４】図３に示した商品収納ラックを引き出した状態を示す斜視図である。
【図５】図３に示した商品収納ラックをさらに引き出した状態を示す斜視図である。
【図６】把手を引き出した最上段の商品収納ラックを示す斜視図である。
【符号の説明】
【００３９】
１    本体キャビネット
１１    仕切板
１２    商品収容室
１３    機械室
１４    ガイドレール
１５    ガイドローラ
１６Ｒ，１６Ｌ    ガイドプレート
１６１    一時停止凹部
１６２    停止凹部
２    外扉
２１    ガラス板
２２    商品取出口
２３    出口フラッパ
３    商品収納ラック
３１    コラム
３２    ラック
３２２    側板部
３２３    段部
３３    ガイドローラ
３４    把手
４    バケット
５    内扉
５１    ガラス板
５２    枠体
５３    商品搬出口
５４    搬出口フラッパ
【図１】
2010165065.tif 000003
【図２】
2010165065.tif 000004
【図３】
2010165065.tif 000005
【図４】
2010165065.tif 000006
【図５】
2010165065.tif 000007
【図６】
2010165065.tif 000008